(57)【要約】【課題】  ユーザがＢＴ接続した機器で音楽を聞いている間においても、割り込んだ着信を容易に気づかせることができる携帯通信機器を提供することを目的とする。【解決手段】  ＢＴ−ＡＶ機器に対して楽曲情報を送信中に着信が割り込んだ場合（ステップＳ１０４）、楽曲情報の送信を停止した（ステップＳ１０６）後、送信していた楽曲データとは別の着信音情報をＢＴ−ＡＶ機器に対して送信し（ステップＳ１０７）、その後に通常の着信音データを鳴動させる（ステップＳ１０９）。【選択図】  図７
2010213328.tif 000002
【特許請求の範囲】
【請求項１】
複数の音データを記憶する記憶部と、
外部の近距離無線通信機能を備えた機器に対して、前記記憶部に記憶された音データを近距離無線通信に対応したファイルフォーマットで送信する近距離無線通信部と、
前記近距離無線通信部によって第１の音データを送信中に着信が割り込んだ場合、前記第１の音データの送信を停止し、前記第１の音データとは異なる第２の音データを前記近距離無線通信部によって送信するよう制御する制御部とを有し、
前記第２の音データは、近距離無線通信に対応したファイルフォーマットで前記記憶部に記憶されていることを特徴とする携帯通信機器。
【請求項２】
前記記憶部は、近距離無線通信に対応したファイルフォーマットの音データを複数記憶し、
前記制御部は、割り込んだ着信の発呼先に応じて前記記憶部に記憶された複数の近距離無線通信に対応したファイルフォーマットの音データから１つを第２の音データとして前記近距離無線通信部によって送信することを特徴とする請求項１に記載の携帯通信機器。
【請求項３】
前記制御部は、前記近距離無線通信部によって第１の音データを送信中に着信が割り込んだ場合、前記着信に基づく通話後に第１の音データの送信停止に関連する情報に基づいて第１の音データの途中より外部の近距離無線通信機能を備えた機器へと送信させることを特徴とする請求項１に記載の携帯通信機器。
【請求項４】
前記制御部は、前記近距離無線通信部によって第１の音データを送信中に着信が割り込んだ場合、前記着信に基づく通話後は第１の音データの始めより再度外部の近距離無線通信機能へ送信させることを特徴とする請求項１に記載の携帯通信機器。
【請求項５】
更に記憶部に記憶された複数の音データの再生・停止を操作する操作部を有し、
前記制御部は、前記近距離無線通信部によって外部の近距離無線通信機能を備えた機器に対して第１の音データを送信中に着信が割り込んだ場合、前記着信に基づく通話後は、前記外部の近距離無線通信機能を備えた機器の操作又は前記操作部による操作によって前記第１の音データの始めより再度外部の近距離無線通信機能へ送信させることができるように前記第１の音データを保持させるよう制御する制御部と
を有することを特徴とする請求項１に記載の携帯通信機器。
【請求項６】
前記制御部は、前記記憶部から読み出したファイルフォーマットの音データを近距離無線通信に対応したファイルフォーマットに変換した第１の音データを前記近距離無線通信部によって外部の機器に送信させ、前記第１の音データを送信中に着信が割り込んだ場合、前記第１の音データの送信を停止し、前記記憶部から読み出したファイルフォーマットとは異なるファイルフォーマットによって音データを保持し、前記着信に基づく通話後に前記近距離無線通信に対応したファイルフォーマットに変換した第１の音データの送信を再開させることを特徴とする請求項１に記載の携帯通信機器。
【発明の詳細な説明】
【技術分野】
【０００１】
本発明は携帯通信機器に関する。
【背景技術】
【０００２】
近年、携帯型の情報機器の進歩および普及にはめざましいものがある。特に、携帯電話機においては、さまざまな機能を備えたものが出回り始めており、Ｂｌｕｅｔｏｏｔｈ（登録商標、以下ＢＴと称する）を備えた携帯電話機もその例外ではない。
【０００３】
ところで、例えばＢＴ通信システムでは、ＢＴを備えた電子機器（例えば携帯電話）が周辺のＢＴ機器の探索を行い、発見された複数の機器の中から選択した電子機器（例えばヘッドフォン）を通信接続対象とする無線通信方法が採用されている（例えば特許文献１）。
【０００４】
なお、以下ではＢＴ接続の確立手続きにおいて、通信の接続を確立するために必要となる処理要求を出す装置またはその動作を「クライアント」と称し、また、クライアントの要求を受けた後、通信の接続を確立するために必要となる処理結果を出す装置またはその動作を「サーバ」と称すこととする。
【先行技術文献】
【特許文献】
【０００５】
【特許文献１】特開２００２−第２６１６８６号公報
【発明の概要】
【発明が解決しようとする課題】
【０００６】
例えば、ＢＴを搭載した電子機器とＢＴ接続可能な電子機器（以下、ＢＴ−ＡＶ機器と記す）とにおいてＢＴによる接続を確立（以下、ＢＴ−ＡＶ接続と記す）し、ＢＴを搭載した電子機器において記録されている楽曲を、ＢＴ−ＡＶ機器において音出力するためには楽曲情報を送信しなければならないが、ＢＴ−ＡＶ機器において音出力しているときにＢＴを搭載した電子機器に着信動作が割り込んだ場合、何らかの方法でその着信を知らせる必要がある。
【０００７】
本発明は上記問題を解決するためになされたもので、ユーザがＢＴ接続した機器で音楽を聞いている間においても、割り込んだ着信を容易に気づかせることができる携帯通信機器を提供することを目的とする。
【課題を解決するための手段】
【０００８】
上記目的を達成するために、本発明による携帯通信機器は、複数の音データを記憶する記憶部と、外部の近距離無線通信機能を備えた機器に対して、前記記憶部に記憶された音データを近距離無線通信に対応したファイルフォーマットで送信する近距離無線通信部と、前記近距離無線通信部によって第１の音データを送信中に着信が割り込んだ場合、前記第１の音データの送信を停止し、前記第１の音データとは異なる第２の音データを前記近距離無線通信部によって送信するよう制御する制御部とを有し、前記第２の音データは、近距離無線通信に対応したファイルフォーマットで前記記憶部に記憶されていることを特徴としている。
【発明の効果】
【０００９】
本発明によれば、ユーザがＢＴ接続した機器で音楽を聞いている間においても、割り込んだ着信を容易に気づかせることができる。
【図面の簡単な説明】
【００１０】
【図１】実施例１に記載の携帯電話機１を１８０度開いたときの外観図。
【図２】実施例１に記載の携帯電話機１を閉じたときの外観図。
【図３】実施例１のディスプレイ５の表示例、キー６の配置の一例、静電タッチパッド１４の操作箇所の配置の一例を示した図。
【図４】実施例１に記載の携帯電話機１の構成を簡潔に示したブロック図。
【図５】実施例１において、携帯電話機１とＢＴヘッドホン２００又はＢＴコンポの接続関係、及びＢＴヘッドホン２００の外観図。
【図６】実施例１に記載のＢＴヘッドホン２００の構成を簡潔に示したブロック図。
【図７】実施例１に記載の携帯電話機１において楽曲再生時に着信があった場合のフローチャート。
【図８】実施例１に記載のＭＰ開始動作を示したフローチャート。
【図９】実施例１に記載のＢＴ−ＡＶ接続開始動作を示したフローチャート。
【図１０】実施例１に記載のＭＰ動作・スピーカ／イヤホン出力の動作を示したフローチャート。
【図１１】実施例１に記載のＭＰ動作・ＢＴ−ＡＶ接続機器出力を示したフローチャート。
【図１２】実施例１に記載の携帯電話機１の音楽再生部１０５がどのようなファイルフォーマットで外部のＢＴ機器へ送信しているかの概要を説明するための図。
【発明を実施するための形態】
【００１１】
以下、本発明の実施形態について図面を参照して説明する。
【実施例１】
【００１２】
以下に、本発明を携帯電話機に適用した場合における一つの実施の形態を、図面を用いて説明する。図１又は図２は携帯電話機１の外観を示した図であり、また図４は携帯電話機１のブロック図を示したものである。  
まず、携帯電話機１の構造を図１と図２を用いて説明する。図１は、携帯電話機１を約１８０度開いた時の外観図である。図１（Ａ）は正面から見た図、図１（Ｂ）は側面から見た図である。
【００１３】
次に、図２は携帯電話機１を閉じた時の図である。図２（Ａ）は正面から見た図、図２（Ｂ）は側面から見た図である。
【００１４】
携帯電話機１は上筐体部２と下筐体部４がヒンジ部３を介して接続されており、上筐体部２にはＬＣＤなどのディスプレイ５、受信した音声を発声するレシーバ９、携帯電話機１の状態を検知するための磁気センサ１１ａ、１１ｃ、カメラ１２、ＬＣＤなどのサブディスプレイ１３、及び静電タッチパッド１４を有している。そして、ディスプレイ５、カメラ１２、及び静電タッチパッド１４は上筐体部２の同一の面上に備えられている。また、下筐体部４には、数字、文字、携帯電話機１の操作等を入力するためのキー６、更には携帯電話機１の操作を行うサイドキー７、集音するためのマイク（送話口）８、及び携帯電話機１の状態を検知するための磁気センサ１１ｂ、１１ｄを有している。
【００１５】
図４は、携帯電話機１の構成を簡潔に示したブロック図である。携帯電話機１の内部には、携帯電話機１全体の制御を行う制御部１０１と、マイク制御部１０８と、スピーカ１０９と、カメラ１２を制御するカメラ制御部１１２と、ＲＯＭ又はＮＡＮＤメモリなどで構成される不揮発性の記憶部１１５と、一時的に記憶する揮発性のＲＡＭ１１１と、ディスプレイ５及びサブディスプレイ１３を表示制御する表示制御部１１３と、キー６、サイドキー７、静電タッチパッド１４の押下を認識する操作部１０６と、アンテナ１１７を用いて無線通信制御を行う通信部１１６と、ＢＴアンテナ１１９を用いて無線通信制御を行うＢＴ通信部１１８と、記憶部１１５に記憶された音楽情報を用いて音楽再生等を行う音楽制御部１０５とを備えており、制御部１０１によって全体が制御されている。
【００１６】
記憶部１１５は、制御部１０１が実行するプログラム、各種の情報データなどが保存されており、また、楽曲情報が記憶されている曲情報記憶部１１５ａと、ＢＴによって接続可能なリストが記憶されているＢＴ接続リスト記憶部１１５ｂと、楽曲を再生する際に音の出力を行う際の出力先の設定が記憶される音出力設定情報記憶部１１５ｃと、ＢＴ機器に対し着信があった旨を知らせるための着信音情報が記憶される着信音情報記憶部１１５ｄとを有する。
【００１７】
表示制御部１１３は、ディスプレイ５及びサブディスプレイ１３を表示制御するものであり、制御部１０１から出力命令される表示データを表示制御する。
【００１８】
通信部１１６は、制御部１０１によって命令された情報を、無線通信によって送信したり、サーバより無線通信によって送られた情報を受信したりする機能を有する。また、音楽制御部１０５によって行われる音楽再生機能に用いる楽曲等をサーバからダウンロードする際も通信部１１６及びアンテナ１１７を介して行われる。
【００１９】
音楽制御部１０５は、記憶部１１５の曲情報記憶部１１５ａに記憶された楽曲情報の再生指示を制御部１０１より受け付けると、曲情報記憶部１１５ａに記憶された楽曲情報を読み出して再生制御を行う。なお、携帯電話機１のスピーカ１０９及び携帯電話機１に直接接続された図示しないイヤホンによって再生する場合には音楽制御部１０５によってデコード制御され、スピーカ１０９によって出力するよう制御される。また、ＢＴ通信部１１８を通じて携帯電話機１とは別のＢＴ−ＡＶ機器において音楽を再生する場合には、音楽制御部１０５は曲情報記憶部１０５ａに記憶された楽曲情報を読み出して外部のＢＴ−ＡＶ機器のデコーダに対応する別のファイル方式に変換する制御を行い、ＢＴ通信部１１８を通じて外部のＢＴ−ＡＶ機器へ通信するように制御する。
【００２０】
ＢＴ通信部１１８は、送信するデータをＢＴ接続方式に対応したデータへ変換すること、ＢＴ接続方式によってＢＴアンテナ１１９を通じてデータの送受信を行うことを制御する。また、周辺のＢＴ通信可能な通信機器をサーチすること、データ送受信前のリンクの確立を行うことも周知のとおりＢＴ通信部１１８によって制御が行われる。
【００２１】
カメラ制御部１１２は、制御部１０１によって起動され、カメラ１２から入力された画像は、表示制御部１１３を通じてディスプレイ５などに表示される。
【００２２】
操作部１０６は、キー６及びサイドキー７の押下を認識するキー入力部１０６ａと、静電タッチパッド１４の押下を認識する音楽操作入力部１０６ｂとを有する。キー入力部１０６ａは、数字キーや文字キー、メール編集の決定・中止などのファンクションキーを含
む複数のキーの押下をそれぞれ認識することができ、利用者が入力操作したキー６の入力に応じて、キーを識別する識別信号を制御部１０１へ通知し、制御部１０１がその動作を開始する。また、音楽操作入力部１０６ｂは、音楽の再生、停止、一時停止、早送り、巻き戻し、曲選択、音量調節、及びＭｕｓｉｃ  Ｐｌａｙｅｒの起動・停止等の操作を静電タッチパッド１４を介して行われた際にその操作を認識することができる。
【００２３】
図３は、携帯電話機１のディスプレイ５の表示例、キー６の配置の一例、静電タッチパッド１４の操作箇所の配置の一例を示した図であり、図３（Ａ）はディスプレイ５の表示例、図３（Ｂ）はキー６の配置の一例、図３（Ｃ）は静電タッチパッド１４の操作箇所の配置の一例である。図３（Ａ）に示されるように、携帯電話機１のディスプレイ５には、一番上の行（以下上ピクト行とする）には、現在のアンテナ１１７の感度のレベルを示したアンテナピクト５１と、携帯電話機１の現在の電池残量を示した電池ピクト５２と、現在の時刻を表示する時刻表示５３と、ＢＴの起動中に表示されるＢＴアイコン５４と、例えばＭｕｓｉｃ  Ｐｌａｙｅｒ（以下単にＭＰと記す）が起動されているときに表示されるミュージックアイコン５５とが表示されている。ＢＴアイコン５４は、ＢＴの接続中は青い色でアイコンの背景が表示（図の楕円の中が青い色）され、サーバ動作（ＢＴ接続待ち状態）の際には白い色で表示（図の楕円の中が白い色）される。そして、ＢＴ接続がなされていないとき（ＢＴリンクが切断されたときも含む）は消灯するよう制御される。ミュージックアイコン５５は、前述のとおりＭＰが起動されているときに表示されるが、バックグラウンド（以下ＢＧＭと記す）で再生されている時にも表示されており、それ以外のときは消灯するよう制御部１０１に制御される。
【００２４】
携帯電話機１のディスプレイ５の一番下の行（以下下ピクト行とする）には、現在表示されている機能において、ソフトキー左６４・確定キー６５（十字キー６７の中心部）・ソフトキー右６６を押下すると実行される機能の簡単な説明がなされており、それぞれソフトキー左６４については左下ピクト５４、確定キー６５については中下ピクト５５、ソフトキー右６６については右下ピクト５６に説明が表示されている。たとえば、図３（Ａ）のような表示がなされている場合、ソフトキー左６４を押下すると、「戻る」という機能が実行され、確定キー６５を押下すると、図示していないが、現在フォーカスが当たっている機能を選択することができる。また、ソフトキー右６６を押下すると、「サブメニュー」が表示される。
【００２５】
図３（Ｂ）に示されるように、下筐体４には、キー６として、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。また、「＊」キー６２には、「＊」が割り当てられており、更に文字入力状態において記号一覧、絵文字一覧を呼び出すことができる。また、「＃」キー６３には、「＃」が割り当てられており、更に文字入力状態において、数字キー６１による文字入力のトグルを逆にすることができる。
【００２６】
十字キー６７は、上キー・下キー・左キー・右キー及び確定キー６５を有し、当てられたカーソルを上下左右方向に移動することができることに加え、確定キー６５を押下すると、さまざまな機能を確定することができる。また、メールキー６８はメールの送受信機能を呼び出すことができる。また、ブラウザキーは、Ｗｅｂなどに接続することができる。
【００２７】
通話キー７０は、主に電話を受ける際や、通常の発信をする際に用いるためのキーであり、電源キー７１は、主に電源のＯＮ・ＯＦＦ、終話の際、及び機能、編集を終了する際に用いる。更に、クリアキー７２は、主に機能・編集をクリアする際、及び文字入力の際に文字を消去する際に用いる。また、クリアキー７２は待受画面において押下すると、メモ帳を呼び出すことができる。
【００２８】
また、図３（Ｃ）に示されるように、静電タッチパッド１４は、見かけ上は一枚のタッチパッドになっているが、図３（Ｃ）の点線丸で示された７箇所にセンサ８１乃至８７が設けられており、ユーザがセンサ８１の設けられている付近をタッチされたことをセンサ８１が検出すると、巻戻し機能を実行され、同様にセンサ８３が反応する箇所をタッチされたことを検出すると早送り機能が実行され、センサ８４が反応する箇所をタッチされたことを検出すると１段階の音量ダウン動作、センサ８６が反応する箇所をタッチされたことを検出すると１段階の音量アップ動作、センサ８７が反応する箇所をタッチされたことを検出すると音楽停止状態では再生動作、音楽再生状態では一時停止動作がそれぞれ実行される。また、センサ８１、８２、８３の順序で所定時間以内にタッチされたことを検出すると（ユーザとしては左から右へのなぞり操作を行うことになる）、数曲先のサーチが実行される。逆に、センサ８３、８２、８１の順序で所定時間以内にタッチされたことを検出すると（ユーザとしては右から左へのなぞり操作を行うことになる）、数曲前のサーチが実行される。更にはセンサ８４、８５、８６の順序で所定時間以内にタッチされたことを検出すると（ユーザとしては左から右へのなぞり操作を行うことになる）、数段階の音量アップ動作が実行される。また、逆にセンサ８６、８５、８４の順序で所定時間以内にタッチされたことを検出すると（ユーザとしては右から左へのなぞり操作を行うことになる）、数段階の音量ダウン動作が実行される。
【００２９】
また、前述のとおり、上筐体部２及び下筐体部４には、上筐体部２、下筐体部４の状態を検出するためのセンサ１１ａ〜１１ｄが設けられている。これらのセンサ１１ａ〜１１ｄは例えば磁気センサにより構成され、センサ同士が一定の距離内で接近した状態で検出信号を出力する。上記各センサ１１ａ〜１１ｄのうち、センサ１１ａと１１ｂとの対は、上筐体部２及び下筐体部４が重なり合っているか否かを検出する。
【００３０】
図５は、ＢＴを搭載した携帯電話機１とＢＴを搭載したＢＴヘッドホン２００、ＢＴを搭載したＢＴコンポ３００とを用いたシステムの一実施形態を示した図である。携帯電話機１はＢＴ通信の接続を確立するために必要となる処理要求を出すこと（クライアント動作）もできるし、他の通信機器から接続要求に対して、通信を確立するために必要な処理を行い応答すること（サーバ動作）もできる。
【００３１】
また、携帯電話機１は、他のＢＴ搭載の通信機器と接続できるが、クライアント動作とサーバ動作との双方が可能なＢＴ通信機器（例えばＢＴヘッドホン２００）や、クライアント動作は不可能で、サーバ動作だけが可能なＢＴ通信機器（例えばＢＴコンポ３００）がある。つまり、携帯電話機１とＢＴヘッドホン２００とは他のＢＴ機器に接続動作を自ら行うことも可能であるし、当然受けることもできる。しかし、ＢＴコンポ３００は自ら他のＢＴ機器に接続することはできず、もっぱらＢＴ接続を受けることしかできない。
【００３２】
図５に示すＢＴヘッドホン２００は、電源のＯＮ／ＯＦＦができる電源キー２１０、ＢＴ通信によって受信した音楽情報の再生を行う再生キー２１１、再生中の音楽を停止する停止キー２１２、及び再生中の音楽を一時停止／再開する一時停止キー２１３を有する。
【００３３】
図６は、ＢＴヘッドホン２００の構成を簡潔に示したブロック図である。ＢＴヘッドホン２００の内部には、ＢＴヘッドホン２００の全体の制御を行う制御部２０１、音楽制御部２０２、ＢＴ通信部２０３、ＢＴアンテナ２０４、スピーカ２０５、入力部２０６、ＲＯＭなどで構成される不揮発性の記憶部２０７、及び一時的に記憶する揮発性のＲＡＭ２０８を有しており、制御部２０１によって全体が制御されている。
【００３４】
記憶部２０７は、制御部２０１が実行するプログラム、各種の情報データなどが保存されている。
【００３５】
入力部２０６は、電源キー２１０などの入力されたことを検知し、その信号を制御部２０１に対して送信する機能を有する。そして、入力部２０６は、再生キー２１１、停止キー２１２、及び一時停止キー２１３などの音楽の再生操作の入力を受け付ける音楽操作入力部２０６ａを有する。
【００３６】
ＢＴ通信部２０３は、ＢＴ接続方式によってＢＴアンテナ２０４を通じてデータの送受信を行うことを制御する。また、周辺のＢＴ通信可能な通信機器をサーチすること、及びデータ送受信前のリンクの確立を行うことも周知のとおりＢＴ通信部２０３によって制御が行われる。
【００３７】
音楽制御部２０２は、他のＢＴ機器と接続し、音楽再生をＢＴヘッドホン２００で行う際に、他のＢＴ機器から送信されてきた音楽ファイルをデコードして再生を行う機能を有する。
【００３８】
なお、本発明の前提として、ＭＰを起動させる前にＢＴを起動させ、携帯電話機１とＢＴ接続によって接続するべきリストを得ておく必要がある。携帯電話機１の確定キー６５を押下すると、図示しないメニュー画面が表示される。その状態で、メニューの中からＢＴのメニューを選択して、そのメニューの中からサーチ操作が選択されると、サーチが行われる。その時点で周辺に存在する複数のＢＴ通信可能な通信機器から、それぞれの機器が有するデバイス名情報、アドレス情報、機器種別情報、対応サービス情報等が記憶されている図示しないＢＴテーブルをロードしてくる。
【００３９】
次に、そのロードしたＢＴテーブルの対応サービスをチェックして、どのようなサービスを実行できるのかを調べて、通信可能なリモートデバイスを確認する。そして、通信可能なリモートデバイスがあれば、リモートデバイスの一覧リスト（それぞれの周辺機器のＢＴテーブルに基づくリスト）を無線通信装置の表示部に表示する。そして、そのリスト情報をＢＴ接続リスト記憶部１１５ｂに記憶する。
【００４０】
以上に記載したように、携帯電話機１とＢＴ接続によって接続するべきリストを得ておく必要がある。そして、この動作と共に、携帯電話機１とＢＴヘッドホン２００との相互認証のためのＰＩＮコードの交換もこの時点で行う。なお、リストを得る段階でＰＩＮコードの交換を行わないように設定しても良いが、後に記載する図７乃至図１１の流れの中で、接続を確立する段階でＰＩＮコードを交換するようにしてもよい。
【００４１】
次に、本発明の実施例における携帯電話機１によって音楽再生を行った際のフローについて、図７乃至図１２を参照して説明する。本発明に係る携帯電話機１の動作は以下のように分かれる。  
（１）ＢＴ−ＡＶ接続して楽曲再生時に着信があった場合の動作（図７）
（２−１）ＭＰ開始動作（図８）
（２−２）ＢＴ−ＡＶ接続（携帯電話機１とＢＴ搭載の通信機器との接続、以下同じ）開始動作（図１０）
（２−３）ＭＰ動作・スピーカ／イヤホン出力（以下ＳＰ／ＥＰ出力と記す）（図９）
（２−４）ＭＰ動作・ＢＴ−ＡＶ接続機器出力（図１１）
以下、それぞれの動作に分けて説明する。なお適宜図１２・図１３の図面を用いて説明する。図１２は、携帯電話機１において曲情報記憶部１１５ａに記録された楽曲情報を説明するための図であり、図１３は携帯電話機１が動作しているときのディスプレイ５の表示画面の一例を示したものである。
【００４２】
［（１）ＢＴ−ＡＶ接続して楽曲再生時に着信があった場合の動作］
動作概要、及びＢＴ−ＡＶ接続時に着信があった場合の動作を説明する。本発明の重要なポイントの一つである。図７はＢＴ−ＡＶ接続して楽曲再生時に着信があった場合の動作を示したフローチャートである。まず、ユーザによって曲情報記憶部１１５ａに記憶された楽曲情報の再生操作がなされると（ステップＳ１０１、詳細は後述）、ＢＴ−ＡＶ接続手続き等後述の（２−１）乃至（２−３）に基づいて再生する楽曲の音の出力はどこかを音出力設定情報記憶部１１５ｃに基づいて判断する（ステップＳ１０２、詳細は後述）。そして、音出力先がＳＰ／ＥＰである場合にはそれぞれ、スピーカ１０９／イヤホンに出力を行う（ステップ１０２の「ＳＰ／ＥＰ」）。この場合は着信が割り込んだ場合であれば、楽曲の再生を中断し、通常の着信音を出力する。
【００４３】
一方、音出力先がＢＴである場合は（ステップＳ１０２の「ＢＴ」）、楽曲情報（第１のファイルフォーマット）を曲情報記憶部１１５ａより読み出し、音楽制御部１０５は、図１２（Ａ）に示した楽曲情報（第１のファイルフォーマット）より、図１２（Ｂ）に示した再生する音情報に関連する情報（第２のファイルフォーマット）を取り出す。その第２のファイルフォーマットとした再生する音情報に関連する情報をＢＴ通信部１１８に送り、ＢＴ通信部１１８は図１２（Ｃ）に示すように、ＢＴ通信に適した形のファイルフォーマット（第３のファイルフォーマット）に合うように情報（ヘッダなど）を付け加え、第３のファイルフォーマットとしてアンテナ１１９を解してＢＴ−ＡＶ機器（例えばＢＴヘッドホン２００）にＢＴによって送信する。ＢＴ−ＡＶ機器側（ＢＴヘッドホン２００）では、音楽制御部２０２によって、送信されたファイルをデコードすることによってＢＴヘッドホン２００において再生することができる（ステップＳ１０３）。なお、携帯電話機１において、再生している楽曲情報は、再生する１つ（又は所定数）の楽曲が再生し終わるまで、第２のファイルフォーマットによってＲＡＭ上に保持し続け、曲が再生し終わると削除させるように制御するのが望ましい。
【００４４】
ここで、図１２（Ａ）乃至図１２（Ｃ）について説明する。図１２（Ａ）は楽曲情報が第１のファイルフォーマットになっているときを簡単に示した図である。楽曲情報には、音そのものに関連する「音情報」と、それに関連付けられたイメージデータ・楽曲の情報（曲名など）からなる「付加情報」がひとつのファイルとなっている。通常はこの第１のファイルフォーマットで記憶部１１５ａの曲情報記憶部に記憶されている。図１２（Ｂ）は楽曲情報が第２のファイルフォーマットになっているときを簡単に示した図である。これは、第１のファイルフォーマットの「音情報」と、それに基づく情報が含まれるヘッダ・フッタからなるものである。図１２（Ｃ）は楽曲情報が第３のファイルフォーマットになっているときを簡単に示した図である。第３のファイルフォーマットは、第２のファイルフォーマットの情報をＢＴ通信に適した形にするために必要な情報を付加したファイルフォーマットである。
【００４５】
次に、ステップＳ１０３による楽曲情報再生中に、携帯電話機１に割り込み着信があったか否かを判断する（ステップＳ１０４）。そして、割り込み着信があった場合（「Ｙｅｓ」）、音楽制御部１０５は、楽曲情報の送信済み位置を判断し、ＲＡＭ１１１に記憶する（ステップＳ１０５）。その後、現在ＢＴによって送信中の楽曲情報の送信を停止する（ステップＳ１０６）。
【００４６】
次に、記憶部１１５内の着信音記憶部１１５ｄに記憶されている着信音情報を読み出し、音楽制御部１０５は楽曲情報と同様に第１のフォーマットから第２のファイルフォーマットに変換し、更に第３のファイルフォーマットに変換してＢＴ−ＡＶ機器に送信し、ＢＴ−ＡＶ機器において音出力を行う（ステップＳ１０７）。なお、着信音情報は、予め第１のフォーマットとして着信音記憶部１１５ｄに記憶しておくのが望ましいが、予め第２のファイルフォーマットや第３のファイルフォーマット及びそれに順ずる情報の形で記憶しておいてもよい。また、着信音情報は、予め短い時間流れる分の着信音情報しか持たず、ユーザに知らせることのできる程度の時間分用意しておく（例えば５００ＭＳ分程度）。この着信音は、通常の着信音情報とは別の情報を持つのが望ましく、種類も１つでもよいし、電話帳に設定されたグループ別又は個別等に鳴り分けることができるように複数種類でもよい。
【００４７】
そして、制御部１０１はＭＰ機能を停止させ（ステップ１０８）、携帯電話機１側のスピーカ１０９より通常の着信音を鳴動させる（ステップＳ１０９）。その際は、通常通り個々に設定された（図示しない電話帳に設定された）着信音を鳴動させたり、グループ別の着信音を鳴動させたり、マナーモードであれば個々に設定された振動設定に応じて振動させたり、グループ別の振動設定に応じて振動させたりする。
【００４８】
その後、発信キー７０が押下されて通話操作がなされたか否かを判断し（ステップＳ１１０）、発信キー７０などの押下による通話操作がなされると、通話が開始される（ステップ１１０「Ｙｅｓ」）。その後、通話が終了したか否かを判断し（ステップＳ１１１）、例えば終話キー７１の押下などによって終話操作がなされると、終話する（ステップＳ１１１「Ｙｅｓ」）。その後、再度ＭＰ機能を起動し、後述するＭＰ起動動作を行う（ステップＳ１１２）。その際は、ステップＳ１０５においてＲＡＭ１１１に記憶した楽曲情報の送信済み位置情報を読み出し（ステップＳ１１３）、音楽制御部１０５は、ＲＡＭ１１１に記憶された楽曲情報の送信済み位置に基づいて曲の途中から再生するようにする（ステップＳ１１４）。例えば、楽曲情報の送信済み位置から数秒前の楽曲から再度スピーカ１０９又はＢＴ−ＡＶ機器側のスピーカ２０５に出力してもよいし、楽曲情報の送信済み位置から再開してもよい。また、当該再生されている楽曲の最初から再度楽曲情報を再開してもよいし、すぐには再生させず、ＢＴヘッドホン２００の再生キー２１１、携帯電話機のキー６又は静電タッチパッド１４が押下されると当該再生されている楽曲の最初からすぐ再生できるように第２のファイルフォーマットによってＲＡＭ１１１に保持させておいてもよい。
【００４９】
なお、ステップＳ１０８、ステップＳ１１２に記載したＭＰ停止・ＭＰ起動については、プログラム自体の停止・起動を行わずに、着信・通話動作のバックグラウンドで停止（休止）状態・再開状態にさせることも可能である。
【００５０】
［（２−１）ＭＰ開始動作］
次に、ＭＰ開始動作について説明する。図８はＭＰを起動した際の動作を示したフローチャートである。まず、携帯電話機１の通常の待受状態からＭｕｓｉｃ  Ｐｌａｙｅｒ（ＭＰ）が起動されたかを判断する（ステップＳ１１）。なお、ＭＰの起動方法としては、確定キー６５の押下によるメニューからの呼出（再生を伴わないＭＰ起動）、サイドキー７の所定時間の押下による呼出（再生を伴うＭＰ起動）、静電タッチパッド１４の所定時間の押下による呼出（再生を伴うＭＰ起動）等が挙げられる。再生を伴う起動とは例えば起動と同時に再生を行う起動であり、再生を伴わない起動とは、起動と同時に再生を行わない場合（前回曲再生を行っていたものの途中の状態で一時停止状態も含む）を指す。
【００５１】
そして、ＭＰが起動されると（ステップＳ１１「Ｙｅｓ」）、ＢＧＭでの音楽再生中であるかを判断し（ステップＳ１２）、ＢＧＭでの音楽再生中であると判断された場合（「Ｙｅｓ」）はＢＴによってＢＴ−ＡＶ接続中であるかを判断する（ステップＳ１３）。また、ステップＳ１２において、ＢＧＭ再生中ではないと判断された場合（「Ｎｏ」）はＢＴ−ＡＶ待受中であるか判断する（ステップＳ１４）。
【００５２】
次に、ステップＳ１３において、ＢＴ−ＡＶ接続中であると判断された場合（「Ｙｅｓ」）は、ＢＧＭの楽曲情報の再生が、ＭＰ上つまりフォアグラウンドでの再生（以下ＦＧＭ）に単に移行しただけであって、曲の途中であってもそのまま出力しているＢＴ−ＡＶ機器から音楽が流れ続ける（ステップＳ１３の「Ｙｅｓ」方向、＜１＞図１１ステップＳ６０−２へ遷移する）。
【００５３】
一方、ステップＳ１３において、ＢＴ−ＡＶ接続中ではないと判断された場合（「Ｎｏ」）は、ＳＰ／ＥＰ出力設定のプレイヤ動作で楽曲情報を再生する。この場合も、ＳＰ／ＥＰの出力におけるＢＧＭ再生が、単にＦＧＭ再生へ移行しただけであって、曲の途中であってもそのまま出力しているスピーカ又はイヤホンから途切れることなく音出力がなされる（ステップＳ１３の「Ｎｏ」方向、＜２＞図９ステップＳ３１−２へ進む）。
【００５４】
ステップＳ１４において、ＢＴ−ＡＶ待受中であるか否かを判断した結果、ＢＴ−ＡＶ待受中であると判断された場合（ステップＳ１４「Ｙｅｓ」）、ＢＴ−ＡＶの待受を継続つまりサーバとして接続待ちを継続する（＜６＞、図１０のステップＳ５０。）
一方、ステップＳ１４において、ＢＴ−ＡＶ待受中であるか否かを判断した結果、ＢＴ−ＡＶ待受中ではないと判断された場合（「Ｎｏ」）、ＢＴ−ＡＶ接続中か否かを判断する（ステップＳ１５）。
【００５５】
そして、ＢＴ−ＡＶ接続中であると判断した場合は（ステップＳ１５「Ｙｅｓ」）、ＢＴ−ＡＶ接続中の出力先に対してプレイヤ動作を行う（＜３＞、図１１のステップＳ６０）。なお、このプレイヤ動作を行う際は、例えばステップＳ１１においてＭＰを起動された際に再生を伴うＭＰ起動である場合にはプレイヤ動作（再生）を行い（ステップＳ６０−２）、再生を伴わないＭＰ起動である場合には、プレイヤ動作（一時停止）を行う（ステップＳ６０−３）。この遷移は一例であり、図１１で示されたステップＳ６０の枠のどの状態（再生・停止・一時停止）に遷移するように設定しても良い。
【００５６】
一方、ステップＳ１５において、ＢＴ−ＡＶ接続中ではないと判断された場合（ステップＳ１５「Ｎｏ」）、音出力設定情報記憶部１５ｃに記憶されている音出力先設定を読み出し、ＢＴ−ＡＶ接続可能な機器に設定されているか否かを判断する（ステップＳ１６）。
【００５７】
そして、ステップＳ１６において、音出力設定情報記憶部１５ｃに記憶されている音出力先設定がＢＴ−ＡＶ接続可能な機器ではないと判断された場合（「Ｎｏ」）、ＳＰ／ＥＰによる接続によってプレイヤ動作を行う（＜５＞、図９のＳ３１へ進む）。なお、このプレイヤ動作を行う際は、例えばステップＳ１１においてＭＰを起動された際に再生を伴うＭＰ起動である場合にはプレイヤ動作（再生）を行い（ステップＳ３１−２）、再生を伴わないＭＰ起動である場合には、プレイヤ動作（一時停止）を行う（ステップＳ３１−３）。この遷移は一例であり、図９で示されたステップＳ３１の枠のどの状態（再生・停止・一時停止）に遷移するように設定しても良い。
【００５８】
一方、ステップＳ１６において、音出力設定情報記憶部１５ｃに記憶されている音出力先設定がＢＴ−ＡＶ接続可能な機器に設定されていた場合（ステップＳ１６「Ｙｅｓ」）、その設定されているＢＴ−ＡＶ接続可能な機器にクライアントとしてＢＴ−ＡＶ接続を開始する（＜４＞、図１０のステップＳ４１へ進む）。この場合、プレイヤを前回起動した際の音出力先設定が音出力設定情報記憶部１１５Ｃに記憶されているため、その設定がそのまま生かされることになる。従って、プレイヤを起動する都度、設定をする手間を省くことができる。
【００５９】
なお、ＭＰ開始動作は図８のフローチャートに記載した流れで起動することに限定しない。つまり、例えばステップＳ１１においてＭＰを起動された場合、ＢＧＭ再生中であって且つＢＴ−ＡＶ接続中である場合は、＜１＞（図１１）へ遷移するように設計されればよい。同様に、例えばステップＳ１１においてＭＰを起動された場合に、ＢＧＭ再生中ではなく、ＢＴ−ＡＶ待受中ではなく、ＢＴ−ＡＶ接続中ではなく、且つ音出力設定情報記憶部１１５ｃの設定がＢＴ−ＡＶ接続可能な機器に設定されている場合は、＜４＞（図１０）へ遷移するように設計されればよい。
【００６０】
［（２−２）ＢＴ−ＡＶ接続開始動作］◎
次に、ＢＴ−ＡＶ接続開始動作について図１０を用いて説明する。図１０は、ＢＴ−ＡＶ接続開始動作を開始した際のフローチャートである。ＢＴ−ＡＶ接続開始動作は、（Ａ）ＭＰを起動されたとき（ステップＳ１１）、ＢＧＭ再生中ではなく、ＢＴ−ＡＶ待受中ではなく、ＢＴ−ＡＶ接続中ではなく、且つ音出力設定情報記憶部１１５ｃの設定がＢＴ−ＡＶ接続可能な機器に設定されている場合（図８＜４＞からの遷移）、及び（Ｂ）ＳＰ／ＥＰ接続によるＭＰ起動中に音出力先設定の変更を行い、且つその変更がＢＴ−ＡＶ接続可能な機器へ変更した場合（図９＜７＞からの遷移）に行われる。
【００６１】
まず、上記のようにＢＴ−ＡＶ接続開始動作が行われると、音出力先として設定されたＢＴ−ＡＶ接続可能な機器（以下ＢＴヘッドホン２００に設定されたとして説明する。）に対して、クライアントとしてＢＴ−ＡＶ接続動作（例えばＡＶプロファイルによって接続）を開始する（ステップＳ４１）。その後、クリアキー７２又は電源キー７１による接続中止操作がなされたか否かを判断する（ステップＳ４２）。その際、接続中止操作がなされた場合は（「Ｙｅｓ」）、ＢＴヘッドホン２００との接続を終了する（ステップＳ４３）。そして、音出力設定をＳＰ／ＥＰ接続として設定する（図９の＜８＞へ遷移）。
【００６２】
一方、接続中止操作が検出されなかった場合、クライアント動作によってＢＴ−ＡＶ接続ができたか否かを判断する（ステップＳ４４）。
【００６３】
そして、ＢＴ−ＡＶ接続ができた場合、音出力設定情報記憶部１１５ｃに記憶されている音出力先情報を接続できたＢＴ−ＡＶ機器（この場合はＢＴヘッドホン２００）に設定を書き換える（ステップＳ４５）。その後、ＢＴ−ＡＶ接続によってプレイヤ動作（停止）を行う（＜９＞図１１ステップＳ６０−１に遷移する）。
【００６４】
一方、ＢＴ−ＡＶ接続ができたと判断されなかった場合は（ステップＳ４４の「Ｎｏ」）、クライアントとして接続開始した時間から所定時間が経過したか（タイムアウトしたか）否かを判断し、タイムアウトしていない場合は再度ステップＳ４２に戻る（ステップＳ４６の「Ｎｏ」）。なお、タイムアウトの時間としては短すぎても接続率の低下につながり、逆に長すぎても接続待ち時間がかかりすぎるためユーザにとっても好ましくなく、数秒（５秒程度）が望ましい。
【００６５】
そして、ステップＳ４４・Ｓ４６において、所定時間（タイムアウトまでの時間）までにクライアントとして接続できなかった場合、（ステップＳ４６の「Ｙｅｓ」）、クライアントとして接続を試みたＢＴ−ＡＶ接続の動作を終了する（ステップＳ４７）。次に、接続失敗事由として接続を試みた際に認証失敗（ＰＩＮコードによる携帯電話機１とＢＴ−ＡＶ機器との認証）による接続失敗であったか否かを判断する（ステップＳ４８）。これは、認証失敗による接続失敗の場合は再度ＰＩＮコードを受け付け、ＢＴ−ＡＶ機器との認証を行う必要があるからである。
【００６６】
そして、認証失敗による接続失敗ではない場合（ステップＳ４８の「Ｎｏ」）には、その接続したＢＴ−ＡＶ機器（ＢＴヘッドホン２００）自身がクライアントとして動作可能な機器であるか否かを判断する（ステップＳ４９）。このクライアントとして動作可能な機器であるかの判断方法については後述する。
【００６７】
そして、接続を試みたＢＴ−ＡＶ機器がクライアントになれる機器であると判断された場合（ステップＳ４９の「Ｎｏ」）、次にサーバとしてＢＴ−ＡＶ接続待ちを開始する（ステップＳ５０）。なおこの際のサーバとして接続待ちを行うＢＴ−ＡＶ接続可能な機器としては、先ほどクライアントとして接続を試みたＢＴ−ＡＶ機器（この場合はＢＴヘッドホン２００）だけを設定しても良いし、ＢＴ接続リスト記憶部１１５ｂに記憶された全てのＢＴ−ＡＶ機器（この場合はＢＴヘッドホン２００だけでなく、ＢＴコンポ３００など他の機器も含む）に対して接続待ちを行うようにしてもよい。
【００６８】
次に、ステップＳ５０において、サーバとしてＢＴ−ＡＶ接続待ち動作が行われると、その後、クリアキー７２又は電源キー７１等による接続中止操作がなされたか否かを判断する（ステップＳ５１）。
【００６９】
その後、接続中止操作がなされた場合は（「Ｙｅｓ」）、ＢＴヘッドホン２００との接続を終了する（ステップＳ５２）。更に音出力設定をＳＰ／ＥＰ接続として設定する（図９の＜８＞へ遷移）。
【００７０】
一方、接続中止操作が検出されなかった場合、サーバ動作によってＢＴ−ＡＶ接続ができたか否かを判断する（ステップＳ５３）。
【００７１】
そして、ＢＴ−ＡＶ接続ができた場合、音出力設定情報記憶部１１５ｃに記憶されている音出力先情報を接続できたＢＴ−ＡＶ機器として設定を書き換える（ステップＳ５４）。その後、ＢＴ−ＡＶ接続によってプレイヤ動作（停止）を行う（＜９＞図１１ステップＳ６０−１に遷移する）。
【００７２】
一方、ＢＴ−ＡＶ接続ができたと判断されなかった場合は（ステップＳ５３の「Ｎｏ」）、クライアントとして接続開始した時間から所定時間を過ぎたか（タイムアウトしたか）否かを判断し、タイムアウトしていない場合は再度ステップＳ５１に戻る（ステップＳ５５の「Ｎｏ」）。なお、サーバとして接続待ちを行う際のタイムアウトの時間としてはステップＳ５０においてユーザに案内を表示してから、ユーザが接続先の電源を入れる程度の時間を待つ必要があるため、数十秒〜１分程度が望ましい。
【００７３】
そして、ステップＳ５３・Ｓ５５において、所定の時間（タイムアウトの時間）以内にサーバとして接続できなかった場合（ステップＳ５５の「Ｙｅｓ」）、サーバモードの動作を終了する（ステップＳ５６）。更に音出力設定をＳＰ／ＥＰ接続として設定する（＜８＞図９のステップＳ３５へ進む）。
【００７４】
なお、ステップＳ４８において、失敗事由が認証の失敗であった場合（ステップＳ４８の「Ｙｅｓ」）、ステップＳ４９において接続を試みたＢＴ−ＡＶ接続可能な機器がクライアントになれないと判断された場合（ステップＳ４９の「Ｎｏ」）において、制御部１０１は、音出力設定をＳＰ／ＥＰ接続として設定する（＜８＞図９のステップＳ３５へ遷移）。
【００７５】
なお、ステップＳ４８において、接続失敗事由が認証の失敗であった場合（「Ｙｅｓ」）、＜８＞（図９）に遷移して、ＳＰ／ＥＰ接続に設定することに限定することなく、接続失敗事由が認証の失敗であった場合、再度その接続を試みたＢＴ−ＡＶ機器のＰＩＮコードの認証を行うためのＰＩＮコードを受けつけ、その後、再度ステップＳ４１に戻り、そのＢＴ−ＡＶ機器にクライアントとして接続を再度試みるように設定しても良い。
【００７６】
なお、このＢＴ−ＡＶ接続動作において最初にクライアントとして接続を実施し、失敗した際にサーバモード動作を実施するようにしたが、この動作を入れ替えても同様の効果が得られる。また、携帯電話機１とクライアント動作可能なＢＴ−ＡＶ機器（例えばＢＴヘッドホン２００）が同時にクライアント接続動作を実施した場合においても、本実施例の動作を繰り返すことにより、通信の接続を確立することができる。
【００７７】
（ＢＴ−ＡＶ接続可能な機器がクライアントになれるかの判断）
次に、ステップＳ４９における、接続を試みたＢＴ−ＡＶ機器がクライアントになれるか否かを判断方法について詳細を説明する。以下の（Ａ）〜（Ｄ）の４つの方法が考えられるが、その方法のいずれか及びそれらの組み合わせによって実現する。  
（Ａ）特に判断をせず、クライアントになれると推定する
ステップＳ４９に遷移した場合、特に判断を行うことなく、クライアントになれると推定し、常にステップＳ５０に遷移する。
【００７８】
（Ｂ）周辺機器リストを登録する際に、クライアントになれるか否かの情報を同時に設定しておく
前述したように、ＭＰを起動する前に周辺機器リストをＢＴのサーチによって得ておきＢＴ接続リスト記憶部１１５ｂに記憶しおく必要があるが、そのリストを得たとき（表示されたとき）に、それぞれのＢＴ−ＡＶ接続可能な機器に対して、その機器がクライアントとして接続可能か否かの情報をそれぞれの機器情報と関連付けてＢＴ接続リスト記憶部１１５ｂに記憶しておき、ステップＳ４９に遷移した場合、その情報を読み出して、クライアントになれるか否かを判断する。
【００７９】
（Ｃ）周辺機器リストをサーチする際にロードする情報から判断する
周辺機器リストをサーチして、ロードする情報にはサービス情報（例えばＢＴの規格では「ＳＤＤＢ」といわれる箇所に格納されたサービスレコード）が含まれているが、そのサービス情報のＳｕｐｐｏｒｔｅｄ  Ｆｅａｔｕｒｅｓ情報に基づいてその機器がクライアントになれるか否かを判断する。このＳｕｐｐｏｒｔｅｄ  Ｆｅａｔｕｒｅｓ情報はその機器がどの端末の分類にあるかの情報が記載されており、その分類に応じて携帯電話機１の記憶部１１５にこの分類の情報と予めクライアントになれるかなれないかの情報（図示しない）とを関連付けて設定しておき、その情報に基づいて接続されたＢＴ−ＡＶ機器がクライアントになれるか否かを判断することが考えられる。具体的には、例えば、予めＳｕｐｐｏｒｔｅｄ  Ｆｅａｔｕｒｅｓ情報でＨｅａｄｓｅｔを示すフラグがセットされていたらクライアント及びサーバになれるＢＴ−ＡＶ機器と判断し，それ以外のフラグがセットされている場合にはサーバにしかなれないＢＴ−ＡＶ機器と判断するといったように、それぞれの情報と関連付けて記憶部１１５に記憶しておき、ステップＳ４９の判断の際には、その関連付けた情報に基づいて、接続を試みていた機器がクライアントになれるか否かを判断する。
【００８０】
また、そのほか、サービス情報の予め定めた箇所（例えばＢＴの規格ではサービス情報の「Ｐｒｏｖｉｄｅｒ  Ｎａｍｅ」のデータ）にＢＴ−ＡＶ機器自身がクライアントになれるか否かの情報をいれるようにしておき、実際携帯電話機１がＢＴテーブルに記載された上記サービス情報よって、それぞれのＢＴ−ＡＶ機器がクライアントになれるか否かがわかる。そして、ステップＳ４９の判断の際は、そのＢＴテーブルの情報に基づきクライアントになれるか否かを判断するようにしてもよい。
【００８１】
（Ｄ）ＢＴ−ＡＶ機器からクライアントによって接続された際に、クライアントが可能である情報を記録しておき、その情報を基づいて判断する
ＢＴ接続リスト記憶部１１５ｂに記憶されているＢＴ−ＡＶ接続可能な機器と携帯電話機１とでＢＴ接続を行う際に、ＢＴ−ＡＶ接続可能な機器（例えばＢＴヘッドホン２００）がクライアントとして接続した場合には（携帯電話機１はサーバとして接続した場合）、ＢＴ接続リスト記憶部１１５ｂに記憶されている接続したＢＴ−ＡＶ接続可能な機器（例えばＢＴヘッドホン２００）とクライアントが可能である情報とを関連付けて記憶しておく。そして、ステップＳ４９のクライアントになれるか否かの判断においては、そのクライアントが可能である情報が記録されているか否かで判断する。
【００８２】
［（２−３）ＭＰ動作・ＳＰ／ＥＰ出力］
次に、図９を用いて、ＭＰ動作・ＳＰ／ＥＰ出力動作（以下単にＳＰ／ＥＰ出力動作と記す）について説明する。図９は、ＳＰ／ＥＰ出力によって曲情報記憶部１１５ａに記憶された楽曲を再生する際のフローチャートを示した図である。
【００８３】
まず、ＳＰ／ＥＰ出力動作は、ＭＰ開始動作において、（Ａ）ＭＰを起動しＢＧＭ再生中かつＢＴ−ＡＶ接続中ではないとき（＜２＞図８）、及び（Ｂ）ＭＰを起動し、ＢＧＭ再生中ではなく、ＢＴ−ＡＶ接続の待受中ではなく、ＢＴ−ＡＶ接続中ではなく、且つ音出力先設定がＢＴ−ＡＶ機器ではない場合（＜５＞図８）等に行われる。
【００８４】
ＳＰ／ＥＰ出力動作は、上記の動作がなされると、スピーカ１０９からの楽曲の再生（ステップＳ３１−２）／停止（ステップＳ３１−１）／一時停止（ステップＳ３１−３）が行われる。これらを総称してＳＰ／ＥＰプレーヤ再生と記す（ステップＳ３１）。なお、楽曲の再生（ステップＳ３１−２）／停止（ステップＳ３１−１）／一時停止（ステップＳ３１−３）のそれぞれはキー６の操作、静電タッチパッド１４の操作によってそれぞれ遷移可能である。そして、ＳＰ／ＥＰプレーヤ再生中に、制御部１０１は、右ソフトキー６６の押下によるサブメニューを呼び出して、音出力先設定項目画面が呼び出されたか否かを判断する（ステップＳ３２）。そして、音出力先設定項目画面が呼び出されていないと判断された場合は、ＳＰ／ＥＰプレーヤ再生を継続する（ステップＳ３２の「Ｎｏ」）。
【００８５】
一方、制御部１０１が音出力設定項目画面が呼び出されたと判断された場合、図９のステップＳ３３に記載されたような表示をディスプレイ５に表示する（ステップＳ３３）。
【００８６】
なお、このディスプレイ５に表示される項目としては、ＢＴ接続リスト記憶部１１５ｂに記憶されている周辺機器リストの全てのＢＴ−ＡＶ機器と「ＢＴ接続ＯＦＦ」とを表示する。なお、音出力先が現在ＢＴ−ＡＶ機器である場合は、「ＢＴ接続ＯＦＦ」のみを選択可能な表示にし、現在の音出力先がＳＰ／ＥＰである場合は、「ＢＴ接続ＯＦＦ」のみを選択不可能にするように表示してもよい。更には、現在の音出力先のみ選択不可能に表示するようにしてもよい。
【００８７】
次に、ステップＳ３３において、音出力先設定のいずれかが選択された場合は、制御部１０１はその選択された音出力先設定がＢＴ−ＡＶ機器であるか否かを判断する（ステップＳ３４）。そして、選択された音出力先設定がＢＴ−ＡＶ機器である場合は（ステップＳ３４「Ｙｅｓ」）、その機器に対してＢＴ−ＡＶ接続を開始する（＜７＞図１０）。
【００８８】
一方、選択された音出力先設定がＢＴ−ＡＶ機器ではないと判断された場合は（ステップＳ３４「Ｎｏ」）、音出力先設定をスピーカ又はイヤホン（ＳＰ／ＥＰ）に設定する。
【００８９】
そして、その旨を音出力設定情報記憶部１１５ｃに記憶する。そして、制御部１０１は、ステップＳ３６に示された表示をディスプレイ５に表示する。その後、ＳＰ／ＥＰ出力によって楽曲再生動作（停止）に遷移する（ステップＳ３１−１）。
【００９０】
［（２−４）ＭＰ動作・ＢＴ−ＡＶ接続機器出力］
次に、ＭＰ動作・ＢＴ−ＡＶ接続機器出力（以下ＢＴ−ＡＶ出力と記す）について説明する。図１１はＭＰ動作・ＢＴ−ＡＶ出力の際のフローチャートである。
【００９１】
まず、ＢＴ−ＡＶ出力動作は、ＭＰ開始動作において、（Ａ）ＭＰを起動しＢＧＭ再生中かつＢＴ−ＡＶ接続中であるとき（＜１＞図８）、（Ｂ）ＭＰを起動し、ＢＧＭ再生中ではなく、ＢＴ−ＡＶ接続の待受中ではなく、且つＢＴ−ＡＶ接続中である場合（＜３＞図８）、及び（Ｃ）ＢＴ−ＡＶ出力が接続成功した場合（＜９＞図１０ステップＳ４５・ステップＳ５４）等に行われる。
【００９２】
ＢＴ−ＡＶ出力動作は、上記の動作がなされると、ＢＴ−ＡＶ機器（例えばＢＴヘッドホン２００のスピーカ２０５）からの、楽曲の再生（ステップＳ６０−２）／停止（ステップＳ６０−１）／一時停止（ステップＳ６０−３）が行われる。これらを総称してＢＴ−ＡＶプレーヤ再生と記す（ステップ６０）。なお、楽曲の再生／停止／一時停止のそれぞれの遷移は以下のようになる。
【００９３】
まず、停止中に再生操作（例えば静電タッチパッド１４のセンサ８７の箇所の押下）がなされると、再生動作に移る。また、再生中に一時停止操作（例えばＢＴヘッドホン２００の一時停止キー２１３の押下）がなされると一時停止動作に移り、再生再開操作（例えば静電タッチパッド１４のセンサ８７の箇所の押下）がなされると、再生動作に移る。
【００９４】
また、再生動作中に停止操作がなされると、その停止操作がＢＴ−ＡＶ機器からの停止操作か否かを判断する（ステップＳ６０−４）。そして、ＢＴ−ＡＶ機器からの停止操作ではなく、携帯電話機１からの停止操作である場合は（ステップＳ６０−４の「Ｎｏ」）、停止動作に移る（ステップＳ６０−１）。
【００９５】
一方、再生動作中にＢＴ−ＡＶ機器からの停止操作（例えばＢＴヘッドホン２００の停止キー２１２の押下）がなされると、ＢＴ−ＡＶ接続を切断し、クライアント動作又はサーバ動作を終了し、ＢＴ−ＡＶ接続の終了動作へ遷移する。
【００９６】
なお、ＢＴ−ＡＶプレーヤ再生中（ステップＳ６０）に、ＢＴ−ＡＶ接続中に禁止されている操作（例えば携帯電話機１のキー６、静電タッチパッド１４による音量調節操作・早送り・巻戻し操作等は操作を行ってもＢＴヘッドホン側の制御には反映されない操作は禁止されているものとしている）、がなされたか否かを判断し（ステップＳ６１）、なされていない場合には、ＢＴ−ＡＶプレーヤ再生に戻り（「Ｎｏ」）、禁止されている操作がなされたと判断された場合にはステップＳ６２に示されている表示をディスプレイ５に表示し、操作を無効とする（ステップＳ６２）。そして、その後所定時間が経過すると、ＢＴ−ＡＶプレーヤ再生に戻る。
【００９７】
また、ＢＴ−ＡＶプレーヤ再生中（ステップＳ６０）に、制御部１０１は、右ソフトキー６６の押下によるサブメニューを呼び出して、音出力先設定項目画面が呼び出されたか否かを判断する（ステップＳ６６）。そして、音出力先設定項目画面が呼び出されていないと判断された場合は、ＢＴ−ＡＶプレーヤ再生を継続する（ステップＳ６６の「Ｎｏ」）。
【００９８】
一方、制御部１０１が音出力設定項目画面が呼び出されたと判断された場合、図８のステップＳ３３に記載されたような表示をディスプレイ５に表示する（＜１０＞図９）。
【００９９】
なお、本発明の実施の形態においては、携帯電話機１を例にとって説明したが、これに限定されるものではなく、他の携帯通信機器において（例えばＰＤＡ、ＰＨＳ等）適用できる。また、ＢＴについて実施例を記載したが、それ以外の近距離無線通信や有線通信によるその他の手段を用いてもよい。例えば、近距離無線通信では、ＩｒＤＡや無線ＬＡＮ等を利用してもよい。また、有線通信では、ＲＳ−２３２、ＵＳＢ、ＩＥＥＥ１３９４、１０Ｂａｓｅ−ＴのようなＬＡＮインタフェース等を利用してもよい。
【０１００】
本発明の実施の形態によれば、ＢＴ−ＡＶ機器にＢＴ接続して楽曲情報を再生中に、携帯電話機１において着信が発生した場合においても、ＢＴ−ＡＶ機器に着信音情報を流すことができるため、割り込んだ着信の発生を知ることができる。
【符号の説明】
【０１０１】
１  携帯電話機
２  上筐体部
３  ヒンジ部
４  下筐体部
５  ディスプレイ
６  キー
７  サイドキー
８  マイク
９  レシーバ（受話口）
１１ａ、１１ｂ、１１ｃ、１１ｄ  センサ
１２  カメラ
１３  サブディスプレイ
１４  静電タッチパッド
５１  アンテナピクト
５２  電池ピクト
５３  時刻表示
５４  ＢＴアイコン
５５  ミュージックアイコン
５６  左下ピクト
５７  中下ピクト
５８  右下ピクト
６１  数字キー
６２  「＊」キー
６３  「＃」キー
６４  ソフトキー左
６５  確定キー
６６  ソフトキー右
６７  十字キー
６８  メールキー
６９  ブラウザキー
７０  通話キー
７１  電源キー
７２  クリアキー
８１〜８７  センサ
【図１】
2010213328.tif 000003
【図２】
2010213328.tif 000004
【図３】
2010213328.tif 000005
【図４】
2010213328.tif 000006
【図５】
2010213328.tif 000007
【図６】
2010213328.tif 000008
【図７】
2010213328.tif 000009
【図８】
2010213328.tif 000010
【図９】
2010213328.tif 000011
【図１０】
2010213328.tif 000012
【図１１】
2010213328.tif 000013
【図１２】
2010213328.tif 000014